(57)【要約】      （修正有）【課題】夏場や暑い環境下で長時間マスクをしていても呼吸がしやすく、かつ蒸れによる不快感を低減させることができるマスクを提供する。【解決手段】生地と耳掛け６よりなるマスクであって、生地はマスク上下方向の上側に位置する第一生地２と下側に位置する第二生地３の独立した２枚の生地から構成され、第一生地の下端部はマスク上下方向中央部近傍で左右方向全幅にわたり第二生地の上端部より外側に重ね合わされるとともに、重ね合わせ部の左右方向中央部から左右対称の位置には合わせ留め処理２ｃが上下方向に施され、さらに第二生地の左右方向中央部には、フィット感を高めるためのダーツ３ｃが外側に向けて上下方向に第一生地との重ね合わせ部の範囲内に設けられている。【選択図】図４
0003229144.tif 000002
【実用新案登録請求の範囲】
【請求項１】
生地と耳掛けよりなるマスクであって、前記生地はマスク上下方向の上側に位置する第一生地と下側に位置する第二生地の独立した２枚の生地から構成され、前記第一生地と前記第二生地はマスク上下方向中央部近傍で左右方向全幅にわたり端部が互いに重ね合わされ、さらにマスク左右端には前記耳掛けの取り付け処理がそれぞれ施されていることを特徴とするマスク。
【請求項２】
前記第一生地は、前記第二生地より外側に重ね合わされるとともに、重ね合わせ部の左右方向中央部から左右対称の位置には合わせ留め処理が上下方向に所定長さで施されていることを特徴とする請求項１記載のマスク。
【請求項３】
前記第二生地の左右方向中央部には、鼻下部のフィット感を高めるためのダーツが外側に向けて上下方向に前記第一生地との重ね合わせ部の範囲内に設けられていることを特徴とする請求項１又は２記載のマスク。
【請求項４】
前記第一生地と第二生地は同一型形状であることを特徴とする請求項１〜３何れか１項に記載のマスク。
【請求項５】
前記第一生地の左右方向中央下端部には、形状記憶機能を有するワイヤー部材が所定範囲に内包されていることを特徴とする請求項１〜４何れか１項に記載のマスク。
【考案の詳細な説明】
【技術分野】
【０００１】本考案はマスクに関する。さらに詳しくは夏場や暑い環境下で長時間マスクをしていても呼吸がしやすく、また蒸れやべ付きによる不快感を低減させることのできるマスクに関する。
【背景技術】
【０００２】今般の新型コロナウイルス対策として季節を問わずマスクの着用が日常化されており、特に夏場など暑い環境下やスポーツなどの場面での着用は息苦しくマスク内の蒸れやべた付きを生じ、呼吸が困難である。
【先行技術文献】
【特許文献】
【０００３】
【特許文献１】特開２０００−２７９５３７号公報
【特許文献２】特開２００１−２９４９３号公報
【考案の概要】
【考案が解決しようとする課題】
【０００４】上述のように夏場など暑い環境下で長時間のマスク着用は息苦しくマスク内の蒸れやべた付きため不快感が強くまた最近では粒子捕集効果を向上させるため目の細かい高密度の素材を使用した高機能のマスクが多用される傾向があり、この場合は通気性が悪くなるため前述の蒸れやべた付きに加え体温の上昇やメガネの曇りなどさらに不快を感じるという問題があった。
このため、例えば特許文献１及び特許文献２に示すような蒸れ防止用マスクが開発されているが専用のマスクやシートが必要であり利便性や実用面で難があった。
本考案は、上記課題を解決するため、夏場や暑い環境下で長時間マスクをしていても呼吸がしやすく、かつ蒸れやべ付きによる不快感を低減させることができるマスクを提供することを目的とする。
【課題を解決するための手段】
【０００５】  本考案のマスクは、生地と耳掛けよりなるマスクであって、前記生地はマスク上下方向の上側に位置する第一生地と下側に位置する第二生地の独立した２枚の生地から構成され、前記第一生地と前記第二生地はマスク上下方向中央部近傍で左右方向全幅にわたり端部が互いに重ね合わされ、さらにマスク左右端には前記耳掛けの取り付け処理がそれぞれ施されており、前記第一生地は、前記第二生地より外側に重ね合わされるとともに、重ね合わせ部の左右方向中央部から左右対称の位置には合わせ留め処理が上下方向に所定長さで施され、さらに前記第二生地の左右方向中央部には、鼻下部のフィット感を高めるためのダーツが外側に向けて上下方向に前記第一生地との重ね合わせ部の範囲内に設けられていることを特徴としている。
【考案の効果】
【０００６】本考案のマスクを使用すれば、第一生地マスクと第二生地との隙間により呼吸がしやすいため、マラソン、フィットネスジム、屋内外スポーツ等の夏場や暑い環境下で長時間マスクをしていても呼吸が困難になりにくく、かつ咳エチケットに対応でき、快適に着用することができる。
また、呼気がマスク内に留まりにくいのでマスク内の蒸れで体温上昇による熱中症等も防ぐことができる。さらに、従来のマスクとなんら見た目は変わらず違和感なく着用できる。
【図面の簡単な説明】
【０００７】
【図１】本考案に係るマスクの一実施例を示す正面図である。
【図２】図１のＡ−Ａ線断面図である。
【図３】図１のマスクを中央部分で二つ折りにした場合の左側面図である。
【図４】図１に示すマスクの第一生地下端部中央を上方に少しめくった図である。
【考案を実施するための形態】
【０００８】  以下、本考案に係るマスクの実施の形態について図１〜図４に基づいて説明する。
【０００９】  マスク１は、上下方向の上側に位置する第一生地２と下側に位置する第二生地３の独立した２枚の生地から構成され、マスク１の左右端にはそれぞれパイピング生地５が縫い付けられ耳掛け６が取り付けられるようになっている。また、第一生地２と第二生地３にはプリーツ部２ａ、３ａが形成され、さらに飾りステッチを含むステッチ２ｂ、３ｂが端縁部やプリッツ部２ａ、３ａ等に設けられている。
【００１０】  第一生地２と第二生地３は、マスク上下方向中央部近傍で左右方向全幅にわたり端部が互いに１ｃｍ〜２ｃｍ程度重ね合わされている。この重ね合わせ部は、図２に示すように縫い目なく単に重ね合せただけであるが、請求項２に記載のように、気流が外下向きとなるように第一生地２の下端部を第二生地３の上端部より外側に重ね合わせている。
また重ね合わせ部の左右方向中央部１ａからほぼ左右対称の位置には合わせ留め処理としての留めステッチ２ｃ、２ｃが上下方向に１ｃｍ〜２ｃｍ程度の長さで施されている。さらに第一生地２の左右方向中央下端部には、請求項５に記載のように、形状記憶機能を有する例えばポリエチレンや金属等を素材としたワイヤー部材４が留めステッチ２ｃ間に内包されている。このワイヤー部材４により左右方向中央部１ａ近傍の重ね合わせ部の開口の大きさを適宜調整することができる。
【００１１】  また、第二生地３左右方向中央部１ａには、請求項３に記載のように、第一生地２の重ね合わせ部との間に鼻下部のフィット感を高めるためのダーツ３ｃが外側に向けて上下方向に重ね合わせ部の範囲内に設けられている。このダーツ３ｃは、図４に示すようにマスクの第一生地下端部中央を上方に少しめくれば確認することができる。
ダーツ３ｃの形成により第一生地２の下端部との長さを変え、鼻の下側にフィットさせ咳エチケットに対応させている。
ダーツ３ｃ、留めステッチ２ｃ及びワイヤー部材４との相乗効果によりマスク左右方向中央部１ａの開口部を恒常的に広く確保することができるとともにマスク着用時のフィット感も高めることができる。
【００１２】  第一生地２と第二生地３は、請求項４に記載のように、同一型形状とすれば型（パターン）取りを効果的効率的に行うことができる。
【００１３】  上記のように構成されたマスク１は、図３に示すように二つ折りに畳むことができるので携帯も容易である。
本実施例のマスクを着用すれば、夏場や暑い環境下でも呼吸がしやすく、かつ蒸れやべ付きによる不快感を低減させることができる。また、着用時には生地が左右端に引っ張られるため第一生地２の上端縁が顔の表面の方に引き寄せられメガネの曇り止めの効果も発揮する。
【００１４】  本考案のマスク用生地は第一生地２と第二生地３の２枚としているが、マスク内側の顔に当たる面には裏側生地素材としてそれぞれガーゼを使用してもよいし、接触冷感生地等の機能性を有する生地を使用してもよい。
また、第一生地２と第二生地３は、着用者の好みに応じてそれぞれ異なる色彩、模様又はこれらの組み合わせを選ぶことができるためファッション性も高め、ファッション面でも楽しむことができる。
なお、本実施例はプリーツ型マスクについて記載したが、平型マスクや立体型マスクについても適用することができる。大きさについても、子ども用や大きいサイズにも安易に対応することができる。
【符号の説明】
【００１５】１      マスク
１ａ    マスク左右方向中央部
２      第一生地
２ａ    プリーツ部
２ｂ    ステッチ
２ｃ    第一生地と第二生地の留めステッチ（合わせ留め処理）
３      第二生地
３ａ    プリーツ部
３ｂ    ステッチ
３ｃ    ダーツ
４      ワイヤー部材
５      パイピング生地
６      耳掛け（ゴム）
【図１】
0003229144.tif 000003
【図２】
0003229144.tif 000004
【図３】
0003229144.tif 000005
【図４】
0003229144.tif 000006